(57)【要約】【課題】サビキ仕掛のような釣り用仕掛を使用してアジ釣り等を行なう際の幹糸や枝糸の絡み付きを防止しようとするものであり、一度アジが多数かかっても、幹糸や枝糸の絡み付きを解きほぐすのに手間がかかって次の仕掛の投入までに長い時間がかかったり、幹糸や枝糸が絡み付いて解きほぐせなくなるという事態を完全に防止できるようにしようとするものである。【解決手段】所定の剛性と可撓性を備えた金属線材で作成した幹糸に対して、複数の枝糸取付部を幹糸に対して回転自由に取り付け、枝糸取付部に設けた挟着部に各枝糸を着脱自在に取り付けられるようにするとともに、各枝糸の端部に釣り針を結び付けたことを特徴とする釣り用仕掛。【選択図】  図２
2006166810.tif 000002
【特許請求の範囲】
【請求項１】
所定の剛性と可撓性を備えた金属線材で作成した幹糸に対して、複数の枝糸取付部を幹糸に対して回転自由に取り付け、枝糸取付部に設けた挟着部に各枝糸を着脱自在に取り付けられるようにするとともに、各枝糸の端部に釣り針を結び付けたことを特徴とする釣り用仕掛。
【請求項２】
所定の剛性と可撓性を備えた金属線材で作成した幹糸が、その両端に取り付けた連結手段で連結してリング状にすることができるようにしたことを特徴とする請求項1に記載の釣り用仕掛。
【請求項３】
幹糸に回転自由に取り付けた複数の枝糸取付部が、その両側に取り付けた弾性ストッパで適宜その取付位置を変えられるようにしたことを特徴とする請求項1または２に記載の釣り用仕掛。
【発明の詳細な説明】
【技術分野】
【０００１】
この発明は、アジ、サバ、イワシ等を対象魚とするサビキ仕掛の改良に関するものである。
【背景技術】
【０００２】
アジ、サバ、イワシ等を対象魚とするサビキ仕掛は、中心部に幹糸を配置させるとともに、幹糸に多数のハリスを結節し、それぞれのハリスの先端に魚皮片等を付けた擬餌針を結び付けた構成となっているのが普通である。
そのようなサビキ仕掛の先行技術としては、実開平６−８６４７３号公報（特許文献１参照）や特開２００３−１９９４６５公報（特許文献２参照）等がある。
【０００３】
実開平６−８６４７３号公報（特許文献１参照）の発明は、サビキ釣り時、幹糸に所要間隔毎に複数もうけられた枝糸の先の擬餌鉤の中の数本に魚が掛かり激しく動いても他の擬餌鉤は幹糸にカラミ付くことなく、安定的に浮遊するために殆どの擬餌鉤に魚が掛かるのを待つて、一時に多数匹釣ることができるというサビキ釣り本来の醍醐味を満喫できる釣り用サビキ仕掛を提供することを目的とするものである。そして、繰り出される道糸に一端を連結された幹糸を有し、この幹糸には所要間隔で擬餌鉤連結用の複数の枝糸取付部が設けられ、前記幹糸は、ある程度の剛性を保持し、かつ、ある程度復原性のある線条から形成されている。このため、上記幹糸は、容易に形状変化することはなく、魚が掛かり激しく動いても他の擬餌鉤は幹糸にカラミ付くことはない。
【０００４】
また上記特開２００３−１９９４６５公報（特許文献２参照）記載の発明は、アジ釣り等に使用するサビキ仕掛にあって、擬餌針にアジ等が掛った際の口切れを防止し、掛ったアジ等を外すことなく取り込めるようにすることを目的とするものである。そして、幹糸に対して複数の枝糸を延出させ、各枝糸の端部に釣り針を結び付けた構成のサビキ仕掛にあって、幹糸と枝糸との間、枝糸の中間部、枝糸と釣り針との間にクッション材を介在させ、あるいは枝糸全体をクッション材で形成したことを特徴とするものである。
【特許文献１】実開平６−８６４７３号公報
【特許文献２】特開２００３−１９９４６５公報
【発明の開示】
【発明が解決しようとする課題】
【０００５】
アジ等の回遊魚釣りは、釣り竿から延出させた釣り糸の先端にサビキ仕掛を取り付けるとともに、サビキ仕掛の下方部に錘や餌籠を取り付けて投下し、アジ等が回って来た際に、サビキ仕掛の擬餌針に食い付かせようとするものであるが、アジ等の回遊魚は、群がった状態で回遊しており、サビキ仕掛が群れの中に入った段階で、多数のアジが一気に擬餌針に食い付き、四方に走るという状況になるのである。食いが立っているアジの群れに出くわしたような場合には、サビキ仕掛の全ての擬餌針に向かって多数のアジが勢いよく突進し、食い去ろうとするのであるが、擬餌針に掛ったアジがそれぞれの方向に勢いよく走った場合、各擬餌針を強い力で引っ張り合う状態になり、幹糸や枝糸が絡み合って大変な状態になって仕舞うことになるのである。
【０００６】
従来、このような幹糸や枝糸の絡み付きは、幹糸の柔軟性に原因があると考えられており、剛性のある幹糸を使用することにより、幹糸や枝糸の絡み付きを防止しようとしていたのであるが、幹糸や枝糸の絡み付きは、各擬餌針へのアジ等の食い付きによる強い力での引っ張り合いにより発生するものであり、いくら剛性のある幹糸を使用しても解消し得るものではない。
【０００７】
この発明は、サビキ仕掛のような釣り用仕掛を使用してアジ釣り等を行なう際の幹糸や枝糸の絡み付きを防止しようとするものであり、一度アジが多数かかっても、幹糸や枝糸の絡み付きを解きほぐすのに手間がかかって次の仕掛の投入までに長い時間がかかったり、幹糸や枝糸が絡み付いて解きほぐせなくなるという事態を完全に防止できるようにしようとするものである。
【課題を解決するための手段】
【０００８】
この発明は、アジ釣り等の際に使用する釣り用仕掛に関するものであって、所定の剛性と可撓性を備えた金属線材で作成した幹糸に対して、複数の枝糸取付部を幹糸に対して回転自由に取り付け、枝糸取付部に設けた挟着部に各枝糸を着脱自在に取り付けられるようにするとともに、各枝糸の端部に釣り針を結び付けたことを特徴とするものである。
【０００９】
この発明の釣り用仕掛は、上記所定の剛性と可撓性を備えた金属線材で作成した幹糸が、その両端に取り付けた連結手段で連結してリング状にすることができるようにしたことをも特徴とするものである。
【００１０】
この発明の釣り用仕掛は、上記幹糸に回転自由に取り付けた複数の枝糸取付部が、その両側に取り付けた弾性ストッパで適宜その取付位置を変えられるようにしたことをも特徴とするものである。
【発明の効果】
【００１１】
この発明にかかる釣り用仕掛本体は、上記のような構成となっており、仕掛がアジ等の群れに入り、多くの擬餌針にアジが掛って四方に勢いよく走ったような場合でも、衝撃が回転自在の枝糸取付部により吸収され、かかった魚を外すことなく効率よく取り込めるという利点があるのである。
【００１２】
すなわち、アジ等のサビキ釣りは、群がって回遊する魚を対象とするものであり、サビキ仕掛等の釣り用仕掛がアジ等の群れの中に入った場合、多数のアジ等が先を争いながら擬餌針に向かって突進し、擬餌針をくわえた後、猛烈な勢いで走り、擬餌針を引っ張り合う形となり、幹糸や枝糸が絡み付いて仕舞うことになるのであるが、この発明にかかるサビキ仕掛にあっては、各擬餌針を取り付ける枝糸取付部が回転自在の構成となっている結果、幹糸や枝糸の絡み付きを防止することができ、釣果の向上を図り得るという利点があるのである。
【発明を実施するための最良の形態】
【００１３】
以下図面に基いてこの発明の釣り用仕掛の実施の形態を詳細に説明する。
図１はこの発明の釣り用仕掛の１実施例を示す要部拡大図、図２は全体構成を示す説明図、図３は幹糸に端部に取り付ける撚り戻しの拡大図、図４は幹糸両端を連結した状態の説明図、図５は擬餌針の拡大図である。
【００１４】
釣り用仕掛本体１０は、図１および図２に示すとおり、両端部に撚り戻し１３を取り付けた幹糸１１と、幹糸１１に取り付けた撚り戻し様の枝糸取付部１５と、枝糸取付部１５に着脱自在に取り付けた枝糸１７と、この枝糸１７に取り付けた擬餌針１９からなっている。そして、中心位置に配置させた幹糸１１に対して枝状になるようにして多数の枝糸取付部１５を回転自在に取り付けるとともに、先端部に擬餌針１９を結び付けた枝糸１７の基端部を枝糸取付部１５に設けた挟着部２１に着脱自在に取り付けられる構成となっているのである。
【００１５】
なお、この実施例の釣り用仕掛は、上記幹糸１１に回転自由に取り付けた複数の枝糸取付部１５が、その両側において幹糸１１上に取り付けた球状の弾性ストッパ２３で適宜その取付位置を変えられるようになっている。すなわち、弾性ストッパ２３はスライドさせて幹糸１１上の位置をずらすことができ、枝糸取付部１５の位置を自由に変えることが可能である。したがって、両側の弾性ストッパ２３の間隔を枝糸取付部１５の幹糸１１上での回転を阻害しないものとした場合でも、位置決めされた位置においては勝手に移動することがない。
【００１６】
上記複数の枝糸取付部１５間の間隔や数は、目当てとするアジ等のサイズに応じて設定した幹糸１１の太さや剛性等を勘案して適宜決定することができる。
【００１７】
また上記挟着部２１は、その間隙をほぼ密着させたスリット状をなし、金属素材の弾性を利用してその間に差し込まれた枝糸１７を強く挟みつけることにより、枝糸１７を簡単には抜け落ちないよう保持することができる。もちろん、先端部に擬餌針１９を結び付けた枝糸１７は、枝糸取付部１５に設けた挟着部２１に対して引っ張る方向には非常に強固に挟み付けているが、一方の手で挟着部２１の先端をつかみ、他方の手で枝糸１７をスリットの長さ方向に持ち上げるようにすれば難なく引き抜くことができる。このようにして着脱自在に取り付けられているのである。
【００１８】
図４は、この発明の釣り用仕掛をその両端を連結してリング状にした場合を示している。すなわち、図３に示すような撚り戻し１３を用い、幹糸１１の両端部に取り付けた撚り戻し１３どうしを連結することにより、リング状に形成するようになっている。このようにすると、幹糸１１の長さがコンパクトになり、年少者であってもこの発明の釣り用仕掛を難なく取扱うことが可能となる。
【００１９】
図５は、枝糸取付部１５に着脱自在に取り付けられる枝糸１７と、この枝糸１７に取り付けた擬餌針１９の例を示す。すなわち、擬餌針１９は上記枝糸１７に魚の皮、スキンなどでできた擬餌２５を結束して構成されている。
【産業上の利用可能性】
【００２０】
この発明にかかる釣り用仕掛本体１は上記のように、所定の剛性と可撓性を備えた金属線材で作成した幹糸に対して、複数の枝糸取付部を幹糸に対して回転自由に取り付け、枝糸取付部に設けた挟着部に各枝糸を着脱自在に取り付けられるようにするとともに、各枝糸の端部に釣り針を結び付けた構成となっており、アジ等のサビキ釣りのみならず、他の魚種等の釣りにも利用できることはもちろんである。
【図面の簡単な説明】
【００２１】
【図１】この発明の釣り用仕掛の１実施例を示す要部拡大図である。
【図２】全体構成を示す説明図である。
【図３】幹糸に端部に取り付ける撚り戻しの拡大図である。
【図４】幹糸両端を連結した状態の説明図である。
【図５】擬餌針の拡大図である。
【符号の説明】
【００２２】
１０  釣り用仕掛本体
１１  幹糸
１３  撚り戻し
１５  枝糸取付部
１７  枝糸
１９  擬餌針
２１  挟着部
２３  弾性ストッパ
２５  擬餌
【図１】
2006166810.tif 000003
【図２】
2006166810.tif 000004
【図３】
2006166810.tif 000005
【図４】
2006166810.tif 000006
【図５】
2006166810.tif 000007